(57)【要約】【課題】普及しているディジタルカメラ等の撮像装置で光学的に読み取りかつ記録し、情報管理者のサーバで解読することができ、さらにこの認証結果の受け取りを携帯電話機等の携帯端末装置で行うことにより個人認証又は商品名等に関する種々の識別情報を安価にかつ確実に認証する。【解決手段】媒体に表示された識別コードを撮像して画像データを取り込む段階と、この識別コードの画像データを信号に変換し、その信号を送信する段階と、この画像データによりデータベースに格納されている認証データを解読する段階と、この解読したデータを信号に変換し、その信号を送信する段階と、解読した認証結果を受信し、識別情報を表示する段階と、を備えた。【選択図】    図１
2004297440.tif 000002
【特許請求の範囲】
【請求項１】
識別コードを使用して識別情報を認証する識別コードを用いた認証方法であって、
媒体に表示された識別コードを撮像して画像データを取り込む段階と、
この識別コードの画像データを信号に変換し、その信号を送信する段階と、
この画像データによりデータベースに格納されている認証データを解読する段階と、
この解読したデータを信号に変換し、その信号を送信する段階と、
前記解読した認証結果を受信し、識別情報を表示する段階と、
を備えた、ことを特徴とする識別コードを用いた認証方法。
【請求項２】
前記認証データを解読する段階において、前記認証を要求する者が、その自己の識別コードを入力する段階を更に備えた、ことを特徴とする請求項１の識別コードを用いた認証方法。
【請求項３】
前記識別情報の認証を要求する際に、前記認証を要求する者の識別コードを受信し、事前に登録格納された識別コードを比較走査すると共に、その識別コードと記憶された識別コードの一致をもって認証を開始するものである、ことを特徴とする請求項１の識別コードを用いた認証方法。
【請求項４】
前記識別情報の認証は個人認証である、ことを特徴とする請求項１の識別コードを用いた認証方法。
【請求項５】
前記識別情報の認証は商品に関するものである、ことを特徴とする請求項１の識別コードを用いた認証方法。
【請求項６】
前記識別コードはバーコードである、ことを特徴とする請求項１、２又は３の識別コードを用いた認証方法。
【請求項７】
前記識別コードは二次元コードである、ことを特徴とする請求項１、２又は３の識別コードを用いた認証方法。
【請求項８】
識別コードを使用して識別情報を認証する識別コードを用いた認証装置であって、
媒体に表示された識別コードを撮像して画像データを取り込む撮像装置（１）と、
該撮像装置（１）で撮像する識別コードの画像データを信号に変換し、その信号を送信する信号送信装置（２）と、
前記画像データに関する信号を受信する信号受信装置（３）と、
該信号受信装置（３）で受信した画像データに関する信号から、データベース（ＤＢ）に格納されている認証データを解読する識別コード解読装置（４）と、該識別コード解読装置（４）で解読したデータを信号に変換し、その信号を送信する解読信号送信装置（５）と、
前記解読した認証結果を解読信号受信装置（６）で受信し、かつ前記識別情報に関する認証結果を表示する解読信号表示装置（７）と、
を備えた、ことを特徴とする識別コードを用いた認証装置。
【請求項９】
前記撮像装置（１）で取り込む識別コードを、携帯電話機（８）の表示画面（９）に表示する、ことを特徴とする請求項８の識別コードを用いた認証装置。
【請求項１０】
前記撮像装置（１）は、前記解読信号送信装置（５）に接続したディジタルカメラである、ことを特徴とする請求項８の識別コードを用いた認証装置。
【請求項１１】
前記撮像装置（１）は、カメラを備えている携帯端末装置である、ことを特徴とする請求項８の識別コードを用いた認証装置。
【請求項１２】
前記携帯端末装置は携帯電話機である、ことを特徴とする請求項８の識別コードを用いた認証装置。
【請求項１３】
前記携帯端末装置はＰＤＡである、ことを特徴とする請求項８の識別コードを用いた認証装置。
【請求項１４】
前記解読信号受信装置（３）はパソコンである、ことを特徴とする請求項８の識別コードを用いた認証装置。
【請求項１５】
前記解読信号受信装置（３）はＰＤＡである、ことを特徴とする請求項８の識別コードを用いた認証装置。
【発明の詳細な説明】
【０００１】
【発明の属する技術分野】
本発明は、個人認証又は商品名等に関する種々の識別情報を確認するための認証方法であり、特に個人情報等に関する識別情報をバーコードや二次元コードに変換し、この識別コードを読み込むことにより認証することができる識別コードを用いた認証方法及びその認証装置に関するものである。
【０００２】
【従来の技術】
【特許文献１】
従来より、特許第３２０７１９２号公報「認証方法及び装置」のように、バーコードを用いて個人の身元確認等を認証する方法が提案されている。この認証方法は、店舗、クレジットカード会社、銀行等の被認証者の身元、信用度などの確認を欲するときに、横方向に並べられた複数の縦線によるパターンである一般的な「バーコード」を、バーコード・リーダーを用いて光学的に読み取り、その認証を行う方法である。
【０００３】
【発明が解決しようとする課題】
しかし、従来のバーコードを用いた認証方法については、来客数の少ない小規模の店舗、ゴルフ場又は個人等は各種の認証に使用する機会が少ないという問題を有していた。
【０００４】
また、このバーコードを光学的な読み取るバーコード・リーダー（認証装置）が高額であるために、個人又は来客数の少ない小規模の店舗では、これを設置できないという問題を有していた。
【０００５】
本発明は、かかる問題点を解決するために創案されたものである。すなわち、本発明の目的は、バーコード等の識別標識について、普及しているディジタルカメラ等の撮像装置で光学的に読み取りかつ記録し、情報管理者のサーバで解読することができ、さらにこの認証結果の受け取りを携帯電話機等の携帯端末装置で行うことにより個人認証又は商品名等に関する種々の識別情報を安価にかつ確実に認証することができる識別コードを用いた認証方法及びその認証装置を提供することにある。
【０００６】
【課題を解決するための手段】
本発明の認証方法によれば、識別コードを使用して識別情報を認証する識別コードを用いた認証方法であって、媒体に表示された識別コードを撮像して画像データを取り込む段階と、この識別コードの画像データを信号に変換し、その信号を送信する段階と、この画像データによりデータベースに格納されている認証データを解読する段階と、この解読したデータを信号に変換し、その信号を送信する段階と、前記解読した認証結果を受信し、識別情報を表示する段階と、を備えた、ことを特徴とする識別コードを用いた認証方法が提供される。
【０００７】
前記認証データを解読する段階において、前記認証を要求する者が、その自己の識別コードを入力する段階を更に備えることが好ましい。前記識別情報の認証を要求する際に、前記認証を要求する者の識別コードを受信し、事前に登録格納された識別コードを比較走査すると共に、その識別コードと記憶された識別コードの一致をもって認証を開始することが好ましい。
【０００８】
前記識別情報の認証は個人認証又は商品に関するものである。前記識別コードはバーコード又は二次元バーコードである。
【０００９】
上記構成の認証方法では、個人認証、商品名等に関する種々の識別情報に関する識別コードを光学的に読み取りかつ記録し、解読することにより、個人認証又は商品名等に関する種々の識別情報を安価にかつ確実に認識することができる。
【００１０】
本発明の認識装置によれば、識別コードを使用して識別情報を認証する識別コードを用いた認証装置であって、媒体に表示された識別コードを撮像して画像データを取り込む撮像装置（１）と、該撮像装置（１）で撮像する識別コードの画像データを信号に変換し、その信号を送信する信号送信装置（２）と、前記画像データに関する信号を受信する信号受信装置（３）と、該信号受信装置（３）で受信した画像データに関する信号から、データベース（ＤＢ）に格納されている認証データを解読する識別コード解読装置（４）と、該識別コード解読装置（４）で解読したデータを信号に変換し、その信号を送信する解読信号送信装置（５）と、前記解読した認証結果を解読信号受信装置（６）で受信し、かつ前記識別情報に関する認証結果を表示する解読信号表示装置（７）と、を備えた、ことを特徴とする識別コードを用いた認証装置が提供される。
【００１１】
前記撮像装置（１）で取り込む識別コードを、携帯電話機（８）の表示画面（９）に表示することができる。
【００１２】
前記撮像装置（１）は、前記解読信号送信装置（５）に接続したディジタルカメラ又はカメラを備えている携帯端末装置である。この携帯端末装置は携帯電話機（８）又はＰＤＡである。
【００１３】
前記解読信号受信装置（６）はパソコン又はＰＤＡである。
【００１４】
上記構成の認識装置では、個人認証又は商品名等に関する種々の識別情報の識別コードについての読み取りを普及しているディジタルカメラ等の撮像装置（１）で光学的に読み取りかつ記録し、識別コード解読装置（４）で解読することにより、個人認証又は商品名等に関する種々の識別情報を安価にかつ確実に認識することができる。このように、本発明では撮像装置（１）としてディジタルカメラやカメラ付き携帯電話機（８）等の携帯端末装置を用いているのは、高額なバーコード・リーダーを使用することにより来客数の少ない店舗等でも認証することができるようにするためである。
【００１５】
【発明の実施の形態】
以下、本発明の好ましい実施の形態を図面を参照して説明する。
図１は本発明の識別コードを用いた認証装置を示すブロック図である。図２は認証を行う際の処理動作を示すフローチャート図である。図３は携帯電話機の表示画面に識別コードを表示した状態を示す正面図である。
本発明の識別コードを用いた認証装置は、媒体に表示された識別コードを撮像して画像データを取り込む撮像装置１と、この識別コードの画像データを信号に変換し、その信号を送信する信号送信装置２と受信する信号受信装置３と、この受信した画像データに関する信号から認証データを解読する識別コード解読装置４と、この解読したデータを信号に変換し、その信号を送信する解読信号送信装置５と受信する解読信号受信装置６と、識別情報に関する認証結果を表示する解読信号表示装置７とを備えたものである。
【００１６】
本発明では、識別コードを使用して個人認証又は商品名等に関する種々の識別情報を認識するために、予め識別情報とこれに相応する識別コードを情報管理者のデータベースＤＢに格納しておく必要がある。そこで、個人認証又は商品名等につい認証する際に、情報管理者側の識別コード解読装置４のデータベースＤＢに被認証者である顧客から要求に応じてこの顧客に認証用の識別コードを付与する。ここで、被認証者とは、認証により自らの身元、信用度等を明らかにすることを欲する者をいい、例えば買い物をする顧客、クレジットカード使用者等である。または、商品名等に関する種類、型番、色、寸法等である。情報管理者とは、信販会社、ゴルフ会員管理会社、商品配送会社（配送部門）等をいう。
【００１７】
情報管理者側の識別コード解読装置４のデータベースＤＢには、登録済みの顧客の氏名と、携帯電話番号とを含む顧客情報、又は各種商品に関する型番、品番又は寸法等を格納する。
【００１８】
この識別コードは、当該顧客が特定の店舗又は施設で使用するためのものであり、顧客及び店舗に対して一意的に生成される。即ち識別コードは、当該顧客が、特定の店舗でしか使用できない固有の識別コードとなる。
【００１９】
また、本発明における「識別コード」とは、例えば、横方向に並べられた複数の縦線によるパターンである一般的なバーコードを用いた。但し、このバーコードに限定されるものではなく、二次元コード（スクエアコード）、更に光学的に読み取り判別可能な他の識別標識をも含むものである。
【００２０】
本発明の撮像装置１は、カード、商品の外箱等の媒体に表示された識別コードを撮像して画像データを取り込むディジタルカメラであり、このディジタルカメラに信号送信装置２を接続する。この信号送信装置２は、撮像装置１（ディジタルカメラ）で撮像した識別コードの画像データを信号に変換し、その信号を送信するものである。なお、このディジタルカメラに代えて、カメラ（ＣＣＤカメラ、Ｃ−ＭＯＳカメラ）を備えている携帯端末装置（図示していない）を用いることができる。
【００２１】
このように、本発明では撮像装置１としてディジタルカメラやカメラ付き携帯電話機等の携帯端末装置を用いているのは、高額なバーコード・リーダーを使用することなく、来客数の少ない店舗等でも認証処理できるようにするためである。
【００２２】
この画像データに関する信号は、信販会社、ゴルフ会員管理会社、商品配送会社等の情報管理者が信号受信装置３を介して受信し、この画像データに関する信号から識別コード解読装置４においてデータベースＤＢに搭載されている認証データを解読する。情報管理者のデータベースＤＢには識別コード信号と共に、その識別コードを付与された顧客の発信者番号（携帯電話番号）も伝送され、両者を組み合わせて（対応付けられて）収容されるように構成されている。
【００２３】
この撮像装置１で取り込む識別コードは、カードや紙面又は商品に印刷された識別コードに限定されない。図３に示すように、例えば、携帯電話機８の表示画面９に表示する識別コードを撮像装置１で取り込むことも可能である。このようにすれば、認証要求者が携帯電話機８を持参していれば、容易に個人認証をすることができる。
【００２４】
識別コード解読装置４は、認証要求者である店舗等の撮像装置１で撮像した識別コードの画像データを変換した信号に携帯電話番号との組み合わせを情報管理者のデータベースＤＢに格納されている識別コード信号とこの識別コードが付与された顧客の発信者番号（携帯電話番号）と組み合わせと照合して、店舗等から送られてきた識別コード信号と携帯電話番号との組み合わせが、適正であるか否かを判定するように構成されている。ここで、認証要求者とは、被認証者の身元、信用度などの確認を欲するものを指し、例えば店舗、クレジットカード会社、銀行等がある。
【００２５】
解読信号受信装置６は解読した認証結果を受信し、かつ前記識別情報に関する認証結果を表示するものである。解読信号表示装置７は解読した認証結果を受信し、かつ識別情報に関する認証結果を表示するものである。例えばこの解読信号受信装置６は携帯電話機８であり、その表示画面９は解読信号表示装置７として機能させることができる。そこで、個人認証又は商品名等に関する種々の識別情報を迅速かつ容易に認証することができる。
【００２６】
次に、識別コードに基づいて認証を行う方法を説明する。
この認証装置による個人認証又は商品名等に関する種々の識別情報について認証を求める顧客は、上述のようにして予め取得した識別コードを表示したカード等を認証要求者に提示する。このＩＤカード店舗等の撮像装置１で画像データを取り込む。このようにして店舗等で入力された識別コードに対応するコード信号と発信者番号との組み合わせが、識別コード解読装置４に送られ、顧客の身元確認、即ち認証に使用される。商品の認証のときは、倉庫内において、商品の表面に表示された識別コードを撮像装置１で画像データを取り込み、その変換した信号を識別コード解読装置４で認証する。
【００２７】
また、携帯電話の表示面等に表示された識別コードについても、携帯電話機８の表示画面９に表示させた識別コードを撮像装置１で撮像して画像データを取り込み、かつ信号に変換する。さらに、顧客は、この携帯電話機８の番号（発信者番号）を送信する。このようにして店舗側で入力された識別コードに対応する識別コード信号と発信者番号との組み合わせが、情報管理者の識別コード解読装置４に送られ、顧客の身元確認（認証）に使用される。
【００２８】
この本発明の識別コードを用いた認証方法、認証装置は、例えば、買い物額に応じてキャッシュバック等を行う会員サービスのための顧客認証や、レンタルビデオ店の会員認証などの顧客管理に利用できるが、認証が必要とされる他の種々の用途にも利用できる。
【００２９】
なお、本発明は上述した発明の実施の形態に限定されず、識別コードをディジタルカメラ、カメラ付き携帯電話機等で光学的に取り込むことにより、容易に画像データを情報管理者へ送受信し、かつ認証する方法であれば、上述した処理する段階又は処理する装置の構成に限定されず、本発明の要旨を逸脱しない範囲で種々変更できることは勿論である。
【００３０】
【発明の効果】
本発明の識別コードを用いた認証方法は、個人認証、商品名等に関する種々の識別情報に関する識別コードを光学的に読み取りかつ記録し、解読することにより、個人認証又は商品名等に関する種々の識別情報を安価にかつ確実に認証することができる。
【００３１】
本発明の認証装置は、識別情報の識別コードについての画像データの取り込みを普及しているディジタルカメラ等の撮像装置で光学的に読み取ることにより、個人認証又は商品名等に関する種々の識別情報を安価にかつ確実に認識することができる。特に、本発明では撮像装置としてディジタルカメラやカメラ付き携帯電話機等の携帯端末装置を用いることにより、高額なバーコード・リーダーが不要になり来客数の少ない店舗等でも識別コードを用いた認証を実施することができる。
【００３２】
また、撮像装置だけでなく、解読信号送信装置、解読信号受信装置、解読信号表示装置についても携帯電話機で対応することができるので、個人認証又は商品名等に関する種々の識別情報を迅速かつ手軽に容易に実施することができる、等の効果がある。
【図面の簡単な説明】
【図１】本発明の識別コードを用いた認証装置を示すブロック図である。
【図２】認証を行う際の処理動作を示すフローチャート図である。
【図３】携帯電話機の表示画面に識別コードを表示した状態を示す正面図である。
【符号の説明】
１  撮像装置
２  信号送信装置
３  信号受信装置
４  識別コード解読装置
５  解読信号送信装置
６  解読信号受信装置
７  解読信号表示装置
８  携帯電話機
９  携帯電話機の表示画面
ＤＢ  データベース
【図１】
2004297440.tif 000003
【図２】
2004297440.tif 000004
【図３】
2004297440.tif 000005